(57)【要約】【課題】リモートコントローラにおいて、組立時に、ＬＥＤの端子を適切な長さに折り曲げる作業を、端子を折り曲げるための専用の治具及び端子の長さを測るための道具を用いることなく行えるようにする。【解決手段】リモートコントローラ１は、ＬＥＤ３及び回路基板４がキャビネット５の内部に配置され、ＬＥＤ３の発光部３２の位置がキャビネット５の赤外線送出口５１に合わせられる。回路基板４は、端子折り曲げ用の孔４２を有し、端子折り曲げ用の孔４２は、２数種のキャビネット５ａ、５ｂに対応して、回路基板４の端縁までの距離が異なる２箇所の位置に形成されている。ＬＥＤ３の端子３１をキャビネット５ａ、５ｂに対応する端子折り曲げ用の孔４２ａ、４２ｂに挿し込んで、発光部３２の基端が回路基板４の端縁に合わさるように、端子３１を略直角に折り曲げることにより、ＬＥＤ３の端子３１が適切な長さに折り曲げられる。【選択図】図２
2011130368.tif 000002
【特許請求の範囲】
【請求項１】
赤外線を発光するＬＥＤと、前記ＬＥＤが実装される回路基板と、前記ＬＥＤ及び前記回路基板を収納するキャビネットとを備え、前記回路基板は、前記ＬＥＤを電気的に接続するためのＬＥＤ接続部を有し、前記キャビネットは、前記ＬＥＤから発光される赤外線を送出するための赤外線送出口を有し、前記ＬＥＤは、電気的接続を行うための端子が折り曲げられ、該電気的接続を行うための端子が前記ＬＥＤ接続部に接続され、赤外線を発光する発光部の位置が前記赤外線送出口に合わせられ、
ユーザに操作されることにより、ユーザによる操作内容を示す操作信号を、前記ＬＥＤから発光される赤外線によって送信するリモートコントローラにおいて、
前記回路基板は、
前記ＬＥＤの端子を前記ＬＥＤ接続部に接続する前に折り曲げるのに利用し得る端子折り曲げ用の孔を有し、
前記端子折り曲げ用の孔は、前記回路基板の端縁までの距離が前記ＬＥＤ接続部から前記赤外線送出口までの距離と所定の関係を満たす位置に形成されている、
ことを特徴とするリモートコントローラ。
【請求項２】
前記端子折り曲げ用の孔は、前記ＬＥＤ接続部から前記赤外線送出口までの距離が異なる複数種のキャビネットに対応して、前記回路基板の端縁までの距離が異なる複数の位置に形成されている、
ことを特徴とする請求項１に記載のリモートコントローラ。
【発明の詳細な説明】
【技術分野】
【０００１】
本発明は、電子機器を遠隔制御するためのリモートコントローラに関するものである。
【背景技術】
【０００２】
従来から、リモートコントローラにおいて、ユーザによる操作内容を示す操作信号を、ＬＥＤから発光される赤外線によって送信するようにしたものがある。このようなリモートコントローラは、一般的に、キャビネットの内部にＬＥＤ及び回路基板を収納し、ＬＥＤから発光される赤外線をキャビネットの前面の赤外線送出口から送出するようにしている。回路基板は、キャビネットの上面（操作部が設けられている面）と平行に配置されており、ＬＥＤは、キャビネットの赤外線送出口から赤外線を送出し得るように、回路基板に実装されている。具体的には、ＬＥＤは、電気的接続を行うための端子が略直角に折り曲げられ、このように折り曲げられた端子が回路基板のＬＥＤ接続部に接続され、赤外線を発光する発光部の位置がキャビネットの前面の赤外線送出口に合わせられている。
【０００３】
このようなリモートコントローラの組立は、以下のようにして行われる。まず、専用の治具を用いて、ＬＥＤの端子を折り曲げる。このとき、長さを測るための道具を用いて、ＬＥＤの端子の折り曲げるべき適切な長さ（リモートコントローラを組立てたときに、ＬＥＤの発光部がキャビネットの赤外線送出口に合わさる長さ）を測ったうえで、ＬＥＤの端子を折り曲げる。続いて、折り曲げた状態のＬＥＤの端子を回路基板のＬＥＤ接続部に接続して、ＬＥＤを回路基板に実装する。そして、ＬＥＤの発光部がキャビネットの赤外線送出口に合わさるように、ＬＥＤを実装した回路基板をキャビネットに収納する。これにより、リモートコントローラが完成する。
【０００４】
一方、ＬＥＤを保持するホルダ本体にヒンジを介してカバー部材を設け、ＬＥＤをホルダに装着すると共にＬＥＤのリードフレームの中間部をカバー部材に係合させた状態で、カバー部材をヒンジの周りに回動させることにより、ＬＥＤのリードフレームをフォーミング加工するようにした電子部品ホルダが知られている（例えば特許文献１参照）。また、ＬＥＤの端子を貫通する台座部を設け、この台座部の位置決めピンを形成すると共に、リードフレームガイド溝を形成し、リードフレームをリードフレームガイド溝に沿って折り曲げるようにしたＬＥＤランプが知られている（例えば特許文献２参照）。また、発光ダイオードの足部を案内孔に挿入して、発光ダイオードの足部をガイド板に沿って折り曲げるようにした電気部品取付装置が知られている（例えば特許文献３参照）。また、発光ダイオードの端子を端子ガイド穴に挿入して、発光ダイオードの端子を曲げ案内部に沿って折り曲げるようにしたＬＥＤホルダが知られている（例えば特許文献４参照）。
【先行技術文献】
【特許文献】
【０００５】
【特許文献１】特開２００４−３４９３７１号公報
【特許文献２】特開２００９−８８２９４号公報
【特許文献３】実用新案登録第３０４３６７１号公報
【特許文献４】特開２００７−１７３６９８号公報
【発明の概要】
【発明が解決しようとする課題】
【０００６】
ところで、上述した従来のリモートコントローラにおいては、組立時にＬＥＤの端子を折り曲げるとき、ＬＥＤの端子を折り曲げるために、専用の治具を用いており、また、ＬＥＤの端子の折り曲げるべき適切な長さを測るために、長さを測るための道具を用いている。つまり、ＬＥＤの端子を折り曲げる作業を、端子を折り曲げるための道具と端子の長さを測るための道具の２つの道具を用いて行っている。このため、組立作業の作業効率が悪い。なお、上述した特許文献１乃至特許文献４に開示の内容を適用したとしても、上記の問題を解決することはできない。
【０００７】
本発明は、上記課題を解決するためになされたものであり、組立時に、ＬＥＤの端子を適切な長さに折り曲げる作業を、端子を折り曲げるための専用の治具及び端子の長さを測るための道具を用いることなく行うことができ、組立て作業を改善することができるリモートコントローラを提供することを目的とする。
【課題を解決するための手段】
【０００８】
上記目的を達成するために請求項１の発明は、赤外線を発光するＬＥＤと、ＬＥＤが実装される回路基板と、ＬＥＤ及び回路基板を収納するキャビネットとを備え、回路基板は、ＬＥＤを電気的に接続するためのＬＥＤ接続部を有し、キャビネットは、ＬＥＤから発光される赤外線を送出するための赤外線送出口を有し、ＬＥＤは、電気的接続を行うための端子が折り曲げられ、該電気的接続を行うための端子がＬＥＤ接続部に接続され、赤外線を発光する発光部の位置が赤外線送出口に合わせられ、ユーザに操作されることにより、ユーザによる操作内容を示す操作信号を、ＬＥＤから発光される赤外線によって送信するリモートコントローラにおいて、回路基板は、ＬＥＤの端子をＬＥＤ接続部に接続する前に折り曲げるのに利用し得る端子折り曲げ用の孔を有し、端子折り曲げ用の孔は、回路基板の端縁までの距離がＬＥＤ接続部から赤外線送出口までの距離と所定の関係を満たす位置に形成されているものである。
【０００９】
請求項２の発明は、請求項１に記載のリモートコントローラにおいて、端子折り曲げ用の孔は、ＬＥＤ接続部から赤外線送出口までの距離が異なる複数種のキャビネットに対応して、回路基板の端縁までの距離が異なる複数の位置に形成されているものである。
【発明の効果】
【００１０】
請求項１の発明によれば、組立時に、ＬＥＤの端子を端子折り曲げ用の孔に挿し込んで、ＬＥＤの発光部に、ＬＥＤの端子と垂直な方向の力を加えることにより、専用の治具を用いることなく、容易に、ＬＥＤの端子を折り曲げることができる。しかも、ＬＥＤの所定基準部位（端子折り曲げ用の孔から回路基板の端縁までの距離とＬＥＤ接続部から赤外線送出口までの距離との所定の関係を規定するために、基準点として定められる部位であって、例えば発光部の基端）が回路基板の端縁に合わさるように、ＬＥＤの端子を端子折り曲げ用の孔に挿し込んで折り曲げることにより、長さを測るための道具を用いることなく、容易に、ＬＥＤの端子を適切な長さ（ＬＥＤの発光部がキャビネットの赤外線送出口に合わさる長さ）に折り曲げることができる。従って、組立時、ＬＥＤの端子を適切な長さに折り曲げる作業を、端子を折り曲げるための専用の治具及び端子の長さを測るための道具を用いることなく行うことができ、組立て作業を改善することができる。
【００１１】
請求項２の発明によれば、ＬＥＤ接続部から赤外線送出口までの距離が異なる複数種のキャビネットを用いる場合（つまり、ＬＥＤ接続部から赤外線送出口までの距離が異なる複数種のキャビネットに対して、ＬＥＤ及び回路基板を共用化する場合）にも、請求項１と同様の効果が得られる。すなわち、ＬＥＤの端子をキャビネットの種類に対応する端子折り曲げ用の孔に挿し込んで折り曲げることにより、請求項１と同様に、組立時に、ＬＥＤの端子を適切な長さに折り曲げる作業を、端子を折り曲げるための専用の治具及び端子の長さを測るための道具を用いることなく行うことができ、組立て作業を改善することができる。
【図面の簡単な説明】
【００１２】
【図１】（ａ）は本発明の一実施形態に係るリモートコントローラの概略構成を示す斜視図、（ｂ）は同リモートコントローラの上面側から見た部分拡大した断面図、（ｃ）は同リモートコントローラの側面側から見た部分拡大した断面図。
【図２】同リモートコントローラの回路基板の端子折り曲げ用の孔を説明する図であり、（ａ）は端子折り曲げ用の孔から回路基板の端縁までの距離とＬＥＤ接続部から赤外線送出口までの距離との関係を説明する図、（ｂ）はある種類のキャビネットを用いる場合の端子折り曲げ用の孔の利用方法を示す図、（ｃ）は別の種類のキャビネットを用いる場合の端子折り曲げ用の孔の利用方法を示す図。
【発明を実施するための形態】
【００１３】
以下、本発明を具体化した実施形態によるリモートコントローラについて図面を参照して説明する。図１（ａ）（ｂ）（ｃ）は、本実施形態によるリモートコントローラの構成を示す。リモートコントローラ１は、電子機器を遠隔制御するための装置であり、ユーザに操作されることにより、ユーザによる操作内容を示す操作信号を赤外線によって送信する装置である。
【００１４】
リモートコントローラ１は、ユーザにより操作される各種操作キーを有する操作部２と、赤外線を発光するＬＥＤ３と、ＬＥＤ３が実装される回路基板４と、ＬＥＤ３及び回路基板４を収納するキャビネット５等を備える。
【００１５】
キャビネット５は、直方体形状になっており、ユーザの片方の手に所持され得る形状になっている。キャビネット５の上面に、操作部２が配置されており、キャビネット５の内部に、ＬＥＤ３及び回路基板４が配置されている。キャビネット５は、ＬＥＤ３から発光される赤外線を送出するための赤外線送出口５１を有している。赤外線送出口５１は、キャビネット５の前面に設けられている。キャビネット５は、下部ケース５２と上部カバー５３とにより構成されている。
【００１６】
回路基板４は、略矩形の平板形状をしており、キャビネット５の上面と平行に配置されている。回路基板４は、ＬＥＤ３を電気的に接続するためのＬＥＤ接続部４１を有している。ＬＥＤ接続部４１は、回路基板４に形成された電気回路配線（不図示）と電気的に接続されている。
【００１７】
ＬＥＤ３は、電気的接続を行うための端子３１と、赤外線を発光する発光部３２とを有している。端子３１は、途中で略直角に折り曲げられており、回路基板４のＬＥＤ接続部４１に電気的に接続されている。発光部３２の位置は、キャビネット５の赤外線送出口５１に合わせられている。端子３１の折り曲げ箇所から発光部３２に至る部分は、回路基板４に対して略平行になっており、端子３１の折り曲げ部分から先端に至る部分（発光部３２と反対側の部分）は、回路基板４に対して略垂直になっている。発光部３２の先端部分は、キャビネット５の赤外線送出口５１から露出している。
【００１８】
また、回路基板４は、ＬＥＤ３の端子３１をＬＥＤ接続部４１に接続する前に折り曲げるのに利用し得る端子折り曲げ用の孔４２を有している。端子折り曲げ用の孔４２は、回路基板４上の電気回路配線の形成されていない場所に形成されている。端子折り曲げ用の孔４２の詳細については後述する。また、回路基板４には、操作部２の各種操作キーが操作されたことを検出する検出回路（不図示）や、検出回路の検出結果に応じてＬＥＤ３を発光駆動する駆動回路（不図示）等が実装されている。
【００１９】
このような構成のリモートコントローラ１は、操作部２がユーザに操作されることにより、ユーザによる操作内容を示す操作信号を、ＬＥＤ３の発光部３２から発光される赤外線によって送信するようになっている。
【００２０】
次に、図２（ａ）（ｂ）（ｃ）を参照して、上記回路基板４に形成されている端子折り曲げ用の孔４２について説明する。端子折り曲げ用の孔４２は、上述のように、ＬＥＤ３の端子３１を回路基板４のＬＥＤ接続部４１に接続する前に折り曲げるのに利用し得る孔である。つまり、端子折り曲げ用の孔４２は、リモートコントローラ１を組立てるとき、ＬＥＤ３の端子３１を回路基板４のＬＥＤ接続部４１に接続する前（ＬＥＤ３を回路基板４に実装する前）に、ＬＥＤ３の端子３１を折り曲げるために利用される。
【００２１】
端子折り曲げ用の孔４２は、回路基板４の端縁までの距離が、リモートコントローラ１を組立てたとき（キャビネット５内に回路基板４を装着したとき）の回路基板４のＬＥＤ接続部４１からキャビネット５の赤外線送出口５１までの距離と、所定の関係を満たす位置に形成されている。
【００２２】
本実施形態では、キャビネット５として、デザインの異なる２種類のキャビネット５ａ、５ｂを用いる（デザインの異なる２種類のキャビネット５ａ、５ｂに対して、ＬＥＤ３及び回路基板４を共用化する）ことにより、リモートコントローラ１として、デザインの異なる２種類のものを得ることができるようにしている。キャビネット５ａとキャビネット５ｂは、リモートコントローラ１を組立てたとき（キャビネット５ａ、５ｂ内に回路基板４を装着したとき）に、回路基板４のＬＥＤ接続部４１からキャビネット５ａ、５ｂの赤外線送出口５１までの距離が異なる構成となっている。
【００２３】
このため、本実施形態では、端子折り曲げ用の孔４２は、ＬＥＤ接続部４１から赤外線送出口５１までの距離が異なる（デザインの異なる）２数種のキャビネット５ａ、５ｂに対応して、回路基板４の端縁までの距離が異なる２箇所の位置に形成されている。端子折り曲げ用の孔４２ａは、キャビネット５ａに対応して形成された孔であり、端子折り曲げ用の孔４２ｂは、キャビネット５ｂに対応して形成された孔である。
【００２４】
端子折り曲げ用の孔４２ａから回路基板４の端縁までの距離をＰａ、キャビネット５ａを用いてリモートコントローラ１を組立てたときの回路基板４のＬＥＤ接続部４１からキャビネット５ａの赤外線送出口５１までの距離をＱａ、キャビネット５ａを用いてリモートコントローラ１を組立てたときの赤外線送出口５１から発光部３２の先端までの適切な距離（発光部３２の先端部分を赤外線送出口５１から突出させるべき適切な長さ）をｗ、ＬＥＤ３の発光部３２の先端からＬＥＤ３の所定基準部位までの距離をｄとすると、Ｐａ＋ｄ＝Ｑａ＋ｗの関係を満たしている。
【００２５】
すなわち、端子折り曲げ用の孔４２ａは、回路基板４の端縁までの距離Ｐａが、キャビネット５ａを用いてリモートコントローラ１を組立てたときの回路基板４のＬＥＤ接続部４１からキャビネット５ａの赤外線送出口５１までの距離Ｑａと、所定の関係の関係としてＰａ＝Ｑａ＋ｗ−ｄの関係を満たす位置に形成されている。
【００２６】
また、端子折り曲げ用の孔４２ｂから回路基板４の端縁までの距離をＰｂ、キャビネット５ｂを用いてリモートコントローラ１を組立てたときの回路基板４のＬＥＤ接続部４１からキャビネット５ｂの赤外線送出口５１までの距離をＱｂとすると、Ｐｂ＋ｄ＝Ｑｂ＋ｗの関係を満たしている。
【００２７】
すなわち、端子折り曲げ用の孔４２ｂは、回路基板４の端縁までの距離Ｐｂが、キャビネット５ｂを用いてリモートコントローラ１を組立てたときの回路基板４のＬＥＤ接続部４１からキャビネット５ｂの赤外線送出口５１までの距離Ｑｂと、所定の関係の関係としてＰｂ＝Ｑｂ＋ｗ−ｄの関係を満たす位置に形成されている。
【００２８】
ここで、所定基準部位とは、端子折り曲げ用の孔４２ａ、４２ｂから回路基板４の端縁までの距離Ｐａ、ＰｂとＬＥＤ接続部４１から赤外線送出口５１までの距離Ｑａ、Ｑｂとの所定の関係（Ｐａ＝Ｑａ＋ｗ−ｄの関係、Ｐｂ＝Ｑｂ＋ｗ−ｄの関係）を規定するために、基準点として定められる部位である。本実施形態では、ＬＥＤ３の発光部３２の基端（端子３１と発光部３２との繋ぎめ部分）を所定基準部位としている。従って、本実施形態では、ＬＥＤ３の発光部３２の先端からＬＥＤ３の所定基準部位までの距離ｄは、ＬＥＤ３の発光部３２の先端から発光部３２の基端までの距離（すなわち発光部３２の長さ）となっている。
【００２９】
端子折り曲げ用の孔４２（４２ａ、４２ｂ）を利用したＬＥＤ３の端子３１の折り曲げは、ＬＥＤ３の端子３１をキャビネット５（５ａ、５ｂ）に対応する端子折り曲げ用の孔４２（４２ａ、４２ｂ）に挿し込んで、組立作業者の指などで、ＬＥＤ３の発光部３２に、ＬＥＤ３の端子３１と垂直な方向の力を加えて、発光部３２を押し倒すことにより行われる。
【００３０】
すなわち、キャビネット５ａを用いる場合には、ＬＥＤ３の端子３１を端子折り曲げ用の孔４２ａに挿し込んで、組立作業者の指などで、ＬＥＤ３の発光部３２に、ＬＥＤ３の端子３１と垂直な方向の力を加えることにより、ＬＥＤ３の端子３１を折り曲げる。また、キャビネット５ｂを用いる場合には、ＬＥＤ３の端子３１を端子折り曲げ用の孔４２ｂに挿し込んで、組立作業者の指などで、ＬＥＤ３の発光部３２に、ＬＥＤ３の端子３１と垂直な方向の力を加えることにより、ＬＥＤ３の端子３１を折り曲げる。
【００３１】
このとき、発光部３２の基端（所定基準部位）が回路基板４の端縁に合わさるように、端子３１を端子折り曲げ用の孔４２（４２ａ、４２ｂ）に差し込んで略直角に折り曲げることにより、端子３１の折り曲げ部分から発光部３２の先端までの距離が、（Ｐａ＋ｄ）又は（Ｐｂ＋ｄ）となって、（Ｑａ＋ｗ）又は（Ｑｂ＋ｗ）と等しくなり、ＬＥＤ３の端子３１が適切な長さ（リモートコントローラ１を組立てたときに、ＬＥＤ３の発光部３２がキャビネット５（５ａ、５ｂ）の赤外線送出口５１に合わさる長さであって、赤外線送出口５１から発光部３２の先端までの距離が適切な距離ｗとなる長さ）に折り曲げられる。
【００３２】
次に、上記リモートコントローラ１の組立方法について説明する。リモートコントローラ１の組立は、以下のようにして行われる。まず、上述のように、回路基板４に形成されている端子折り曲げ用の孔４２を利用して、ＬＥＤ３の端子３１を折り曲げる。すなわち、ＬＥＤ３の端子３１をキャビネット５（５ａ、５ｂ）に対応する端子折り曲げ用の孔４２（４２ａ、４２ｂ）に挿し込んで、発光部３２の基端（所定基準部位）が回路基板４の端縁に合わさるように、ＬＥＤ３の端子３１を略直角に折り曲げる。続いて、折り曲げた状態のＬＥＤ３の端子３１を回路基板４のＬＥＤ接続部４１に接続（半田付け）して、ＬＥＤ３を回路基板４に実装する。
【００３３】
次に、ＬＥＤ３を実装した回路基板４を、キャビネット５の下部ケース５２内に装着する。このとき、ＬＥＤ３の発光部３２は、下部ケース５２における赤外線送出口５１を構成する部分に合わさり、ＬＥＤ３の発光部３２の先端部分は、下部ケース５２における赤外線送出口５１を構成する部分から突出する。そして、キャビネット５の上部カバー５３を下部ケース５２に装着する。これにより、ＬＥＤ３及び回路基板４がキャビネット５に収納されると共に、ＬＥＤ３の発光部３２の先端部分が、キャビネット５の赤外線送出口５１に合わさった状態であって、赤外線送出口５１から発光部３２の先端までの距離が適切な距離ｗの状態（発光部３２の先端が赤外線送出口５１から適切な長さｗだけ突出した状態）となり、リモートコントローラ１が完成する。リモートコントローラ１は、このようにして組立てられる。
【００３４】
このような構成のリモートコントローラ１によれば、回路基板４に端子折り曲げ用の孔４２が形成されているため、組立時に、ＬＥＤ３の端子３１を端子折り曲げ用の孔４２に挿し込んで、ＬＥＤ３の発光部３２に、ＬＥＤ３の端子３１と垂直な方向の力を加えることにより、専用の治具を用いることなく、容易に、ＬＥＤ３の端子３１を折り曲げることができる。
【００３５】
しかも、端子折り曲げ用の孔４２は、回路基板４の端縁までの距離がＬＥＤ接続部４１から赤外線送出口５１までの距離と所定の関係を満たす位置に形成されているため、ＬＥＤ３の所定基準部位（本実施形態では、発光部３２の基端）が回路基板４の端縁に合わさるように、ＬＥＤ３の端子３１を端子折り曲げ用の孔４２に挿し込んで折り曲げることにより、長さを測るための道具を用いることなく、容易に、ＬＥＤ３の端子３１を適切な長さ（リモートコントローラ１を組立てたときに、ＬＥＤ３の発光部３２がキャビネット５の赤外線送出口５１に合わさる長さであって、赤外線送出口５１から発光部３２の先端までの距離が適切な距離ｗとなる長さ）に折り曲げることができる。
【００３６】
従って、組立時に、ＬＥＤ３の端子３１を適切な長さに折り曲げる作業を、端子３１を折り曲げるための専用の治具及び端子３１の長さを測るための道具を用いることなく行うことができ、組立て作業を改善することができる。
【００３７】
また、端子折り曲げ用の孔４２は、ＬＥＤ接続部４１から赤外線送出口５１までの距離が異なる複数種のキャビネット５に対応して、回路基板４の端縁までの距離が異なる複数の位置に形成されているため、ＬＥＤ接続部４１から赤外線送出口５１までの距離が異なる複数種のキャビネット５を用いる場合（つまり、ＬＥＤ接続部４１から赤外線送出口５１までの距離が異なる複数種のキャビネット５に対して、ＬＥＤ３及び回路基板４を共用化する場合）にも、同様の作用、効果を得ることができる。
【００３８】
すなわち、ＬＥＤ接続部４１から赤外線送出口５１までの距離が異なる複数種のキャビネット５を用いる場合、ＬＥＤ３の端子３１をキャビネット５の種類に対応する端子折り曲げ用の孔４２に挿し込んで折り曲げることにより、組立時に、ＬＥＤ３の端子３１を適切な長さに折り曲げる作業を、端子３１を折り曲げるための専用の治具及び端子３１の長さを測るための道具を用いることなく行うことができ、組立て作業を改善することができる。
【００３９】
なお、本発明は、上記実施形態の構成に限られず、種々の変形が可能である。例えば、ＬＥＤの発光部の先端がキャビネットの赤外線送出口から突出している構成に限られず、ＬＥＤの発光部の先端は、キャビネットの赤外線送出口と同一面にあってもよく、キャビネットの赤外線送出口より奥にあってもよい。また、回路基板上の各端子折り曲げ用の孔の近くに、各端子折り曲げ用の孔が、どの種類のキャビネットに対応しているのかを示す表記が施されていてもよい。また、端子折り曲げ用の孔は、１種類のキャビネットしか用いない場合には、その１種類のキャビネットに対応して、１箇所の位置に形成すればよく、３種類以上のキャビネットを用いる場合には、それら３種類以上のキャビネットに対応して、３箇所以上の位置に形成すればよい。
【００４０】
また、端子折り曲げ用の孔は、ＬＥＤの発光部の基端以外の部位（例えば、ＬＥＤの発光部の先端）を所定基準部位として、Ｐａ＝Ｑａ＋ｗ−ｄ（Ｐｂ＝Ｑｂ＋ｗ−ｄ）の関係を満たす位置に形成してもよい。例えば、ＬＥＤの発光部の先端を所定基準部位として、Ｐａ＝Ｑａ＋ｗ−ｄ（Ｐｂ＝Ｑｂ＋ｗ−ｄ）の関係を満たす位置に、端子折り曲げ用の孔を形成した場合には、ＬＥＤの発光部の先端が回路基板の端縁に合わさるように、ＬＥＤの端子を端子折り曲げ用の孔に差し込んで折り曲げることにより、ＬＥＤの端子が適切な長さに折り曲げられる。
【符号の説明】
【００４１】
１    リモートコントローラ
２    操作部
３    ＬＥＤ
４    回路基板
５、５ａ、５ｂ    キャビネット
３１    端子
３２    発光部
４１    ＬＥＤ接続部
４２、４２ａ、４２ｂ    端子折り曲げ用の孔
５１    赤外線送出口
５２    下部ケース
５３    上部カバー
【図１】
2011130368.tif 000003
【図２】
2011130368.tif 000004